(57)【要約】      （修正有）【課題】結婚式前の事前準備や、結婚式当日に必要な事項や写真等も付加することができ、更には後日の記念品としても有意義である総合的、かつ、詳細な内容を有するウェディングブックを提供する。【解決手段】ウェディングブック１は、結婚式に関する準備情報紙葉群、ドレス関連情報紙葉群、ゲスト関連情報紙葉群、料理関連情報紙葉群、花関連情報紙葉群、結婚式演出情報紙葉群、記念写真・ビデオ情報紙葉群、ビューティケア関連情報紙葉群、ギフト関連情報紙葉群、及び、結婚後のアニバーサリー一覧表頁を含む追加アイディア情報紙葉群からなる各項目の紙葉群を、各々各紙葉に差し込み用の穴を設けて開閉リング４付きのブック本体２に着脱可能に綴り込んで構成する。【選択図】図２
0003158813.tif 000002
【実用新案登録請求の範囲】
【請求項１】
結婚式に関する準備情報を付し、かつ、関連する情報付加欄を具備する準備情報紙葉群と、
結婚式に関するドレスに関連する情報を付し、かつ、関連する情報付加欄を具備するドレス関連情報紙葉群と、
結婚式に関するゲストに関連する情報を付し、かつ、関連する情報付加欄を具備するゲスト関連情報紙葉群と、
結婚式に関する料理に関連する情報を付し、かつ、関連する情報付加欄を具備する料理関連情報紙葉群と、
結婚式に関する花に関連する情報を付し、かつ、関連する情報付加欄を具備する花関連情報紙葉群と、
結婚式演出情報を付し、かつ、関連する情報付加欄を具備する結婚式演出情報紙葉群と、
結婚式に関する記念写真・ビデオ情報を付し、かつ、関連する情報付加欄を具備する記念写真・ビデオ情報紙葉群と、
結婚式に関するビューティケアに関連するビューティケア関連情報を付し、かつ、関連する情報付加欄を具備するビューティケア関連情報紙葉群と、
結婚式に関するギフトに関連する情報を付し、かつ、関連する情報付加欄を具備するギフト関連情報紙葉群と、
結婚式に関する追加アイディア情報を付し、かつ、関連する情報付加欄を具備する追加アイディア情報紙葉群と、
結婚後のアニバーサリー一覧表頁と、
を含む各紙葉群の集合からなることを特徴とするウェディングブック。
【請求項２】
結婚式に関する準備情報を付し、かつ、関連する情報付加欄を具備する準備情報紙葉群と、
結婚式に関するドレスに関連する情報を付し、かつ、関連する情報付加欄を具備するドレス関連情報紙葉群と、
結婚式に関するゲストに関連する情報を付し、かつ、関連する情報付加欄を具備するゲスト関連情報紙葉群と、
結婚式に関する料理に関連する情報を付し、かつ、関連する情報付加欄を具備する料理関連情報紙葉群と、
結婚式に関する花に関連する情報を付し、かつ、関連する情報付加欄を具備する花関連情報紙葉群と、
結婚式演出情報を付し、かつ、関連する情報付加欄を具備する結婚式演出情報紙葉群と、
結婚式に関する記念写真・ビデオ情報を付し、かつ、関連する情報付加欄を具備する記念写真・ビデオ情報紙葉群と、
結婚式に関するビューティケアに関連するビューティケア関連情報を付し、かつ、関連する情報付加欄を具備するビューティケア関連情報紙葉群と、
結婚式に関するギフトに関連する情報を付し、かつ、関連する情報付加欄を具備するギフト関連情報紙葉群と、
結婚式に関する追加アイディア情報を付し、かつ、関連する情報付加欄を具備する追加アイディア情報紙葉群と、
追加アイディア情報紙葉群に含まれる結婚後のアニバーサリー一覧表頁と、
を含み、
前記各紙葉群の各紙葉に差し込み用の穴を設けて各紙葉群を開閉リング付きのブック本体に着脱可能に綴り込んだことを特徴とするウェディングブック。
【請求項３】
結婚式に関するタイトルを付した表頁、心構えを付した心構え頁、結婚に関する成約、打ち合わせ頁と、結婚式場への申し込みから結婚式当日に至るスケジュールを記載したスケジュール記載頁と、新郎、新婦用のプロファイル記載頁と、新郎、新婦の思い出写真と貼付頁と、披露宴に関するテーマを記載するウェディングテーマ記載頁と、ウェディングテーマに応じたアイテム情報記載頁と、結婚式に関する各種項目のチェックを行うための複数のチェックリスト記載頁と、を含む複数の紙葉からなる準備情報紙葉群と、
結婚式に関するドレスに関して、花嫁のドレス写真イメージ頁と、ドレス選びの概念を付したドレス選び概念頁とからなり見出し片を設けた紙葉と、ドレス選び概念頁の続き頁と、ウェディングドレスの概略図、概略説明を付したドレスチャート頁と、和風なドレスチャート頁と、ドレス選びのアドバイス等をしたヒント頁と、ドレスに関するアイテムをチェックするためのアイテムをチェック頁と、スナップ写真、感想メモリー頁とを含む複数の紙葉を含む複数の紙葉からなるドレス関連情報紙葉群と、
結婚式に関するゲストに関して、ゲスト・招待客に関するインビテーションイメージ頁と、インビテーション概念頁とからなる見出し片を設けた紙葉と、インビテーション概念の続き頁と、インビテーションのヒント頁と、新郎側、新婦側の各インビテーションリスト頁と、招待状に関する招待状ガイド頁と、披露宴会場での席次例頁と、親族ゲストの肩書早見頁と、ゲストの肩書を把握するための肩書一覧頁と、ゲストに関する感謝の気持ち等を付すためのゲスト関係メモリー頁とを含む複数の紙葉と、を含む複数の紙葉からなるゲスト関連情報紙葉群と、
結婚式に関する料理に関して、ウェディングケーキイメージ頁と、宴席テーブル上の料理、花のイメージ頁とからなり見出し片を設けた紙葉と、料理等を選択するためのガイドメッセージ等を付した料理、ドリンク、ケーキの選択ガイドメッセージ頁と、料理等の選択に関する選択ヒント頁と、料理等のアイテムチェック頁と、料理等の感想等を付するメモリー頁とを含む複数の紙葉とを含む複数の紙葉からなる料理関連情報紙葉群と、
結婚式に関する花に関して、花のイメージ頁と、花の選択概念を示す案内頁とからなる見出し片を設けた紙葉と、披露宴会場の花の選択ガイド頁と、花嫁のブーケのバリエーション頁と、ヒント集頁とを含む複数の紙葉とを含む複数の紙葉からなる花関連情報紙葉群と、
結婚式に関する演出に関して、結婚式場の写真等を付した表頁と演出概念頁とからなる見出し片を設けた紙葉と、披露宴の演出に関するガイドメッセージを付した演出ガイド頁と、結婚式当日の一連の進行スケジュールを付した進行スケジュール頁と、演出に関するヒント頁と、新郎、新婦の演出に関するアイテムチェック頁とを含む複数の紙葉とを含む複数の紙葉からなる結婚式演出情報紙葉群と、
結婚式に関する記念写真・ビデオに関して、記念写真のイメージ頁と、記念写真・ビデオに関する概念頁とからなる見出し片を設けた紙葉と、記念写真・ビデオに関する概念を付した概念頁と、記念写真・ビデオに関する各種ヒントを付したヒント頁と、ヒント頁の続き頁と、新郎、新婦の立ち振る舞い等に関するレッスン内容等を付したビューティレッスン頁と、アイテムチェック頁とを含む複数の紙葉とを含む複数の紙葉からなる記念写真・ビデオ情報紙葉群と、
結婚式に関するビューティケアに関して、ビューティケアに関するイメージ写真を付した表頁と、ビューティケアの概念を付したビューティケア概念頁とからなる見出し片を設けた紙葉と、ビューティケアに関するガイドメッセージ等を付したビューティケアガイド頁と、花嫁のビューティケアポイント頁と、花嫁のヘアスタイルガイド頁と、花嫁、花婿のエステ、ヘアメイク、ネイル等に関するアイテムチェック頁と、ビューティケアに関する花嫁、花婿のメモ等を付すメモ頁と、ビューティケアに関する花嫁、花婿の感想等を付すメモリー頁とを含む複数の紙葉とを含む複数の紙葉からなるビューティケア関連情報紙葉群と、
結婚式に関するギフトに関して、ギフト関連情報のイメージ写真を付した表頁と、ギフトに関する概念を付したギフト概念頁とからなる見出し片を設けた紙葉と、ギフト概念頁の続き頁と、ギフト選択ガイド頁と、ギフトのヒント頁と、ギフトに関するアイテムチェック頁と、ギフトに関する感想等を付するメモリー頁とを含む複数の紙葉とを含む複数の紙葉からなるギフト関連情報紙葉群と、
結婚式に関する追加アイディア情報に関して、表頁と、ヒント頁と、新郎、新婦の写真、コメント等を付すメモリー頁と、アニバーサリーの一覧表頁と含む複数の紙葉からなる追加アイディア情報紙葉群と、
を含み、
前記各紙葉群の各紙葉に差し込み用の穴を設けて各紙葉群を開閉リング付きのブック本体に着脱可能に綴り込んだことを特徴とするウェディングブック。
【請求項４】
結婚式に関するタイトルを付した表頁、心構えを付した心構え頁、結婚に関する成約、打ち合わせ頁と、結婚式場への申し込みから結婚式当日に至るスケジュールを記載したスケジュール記載頁と、新郎、新婦用のプロファイル記載頁と、新郎、新婦の思い出写真と貼付頁と、披露宴に関するテーマを記載するウェディングテーマ記載頁と、ウェディングテーマに応じたアイテム情報記載頁と、結婚式に関する各種項目のチェックを行うための複数のチェックリスト記載頁と、を含む複数の紙葉からなる準備情報紙葉群と、
結婚式に関するドレスに関して、花嫁のドレス写真イメージ頁と、ドレス選びの概念を付したドレス選び概念頁とからなり見出し片を設けた紙葉と、ドレス選び概念頁の続き頁と、ウェディングドレスの概略図、概略説明を付したドレスチャート頁と、和風ドレスチャート頁と、ドレス選びのアドバイス等をしたヒント頁と、ドレスに関するアイテムをチェックするためのアイテムをチェック頁と、スナップ写真、感想メモリー頁とを含む複数の紙葉を含む複数の紙葉からなるドレス関連情報紙葉群と、
結婚式に関するゲストに関して、ゲスト・招待客に関するインビテーションイメージ頁と、インビテーション概念頁とからなる見出し片を設けた紙葉と、インビテーション概念の続き頁と、インビテーションのヒント頁と、新郎側、新婦側の各インビテーションリスト頁と、招待状に関する招待状ガイド頁と、披露宴会場での席次例頁と、親族ゲストの肩書早見頁と、ゲストの肩書を把握するための肩書一覧頁と、ゲストに関する感謝の気持ち等を付すためのゲスト関係メモリー頁とを含む複数の紙葉と、を含む複数の紙葉からなるゲスト関連情報紙葉群と、
結婚式に関する料理に関して、ウェディングケーキイメージ頁と、宴席テーブル上の料理、花のイメージ頁とからなり見出し片を設けた紙葉と、料理等を選択するためのガイドメッセージ等を付した料理、ドリンク、ケーキの選択ガイドメッセージ頁と、料理等の選択に関する選択ヒント頁と、料理等のアイテムチェック頁と、料理等の感想等を付するメモリー頁とを含む複数の紙葉とを含む複数の紙葉からなる料理関連情報紙葉群と、
結婚式に関する花に関して、花のイメージ頁と、花の選択概念を示す案内頁とからなる見出し片を設けた紙葉と、披露宴会場の花の選択ガイド頁と、花嫁のブーケのバリエーション頁と、ヒント集頁とを含む複数の紙葉とを含む複数の紙葉からなる花関連情報紙葉群と、
結婚式に関する演出に関して、結婚式場の写真等を付した表頁と演出概念頁とからなる見出し片を設けた紙葉と、披露宴の演出に関するガイドメッセージを付した演出ガイド頁と、結婚式当日の一連の進行スケジュールを付した進行スケジュール頁と、演出に関するヒント頁と、新郎、新婦の演出に関するアイテムチェック頁とを含む複数の紙葉とを含む複数の紙葉からなる結婚式演出情報紙葉群と、
結婚式に関する記念写真・ビデオに関して、記念写真のイメージ頁と、記念写真・ビデオに関する概念頁とからなる見出し片を設けた紙葉と、記念写真・ビデオに関する概念を付した概念頁と、記念写真・ビデオに関する各種ヒントを付したヒント頁と、ヒント頁の続き頁と、新郎、新婦の立ち振る舞い等に関するレッスン内容等を付したビューティレッスン頁と、アイテムチェック頁とを含む複数の紙葉とを含む複数の紙葉からなる記念写真・ビデオ情報紙葉群と、
結婚式に関するビューティケアに関して、ビューティケアに関するイメージ写真を付した表頁と、ビューティケアの概念を付したビューティケア概念頁とからなる見出し片を設けた紙葉と、ビューティケアに関するガイドメッセージ等を付したビューティケアガイド頁と、花嫁のビューティケアポイント頁と、花嫁のヘアスタイルガイド頁と、花嫁、花婿のエステ、ヘアメイク、ネイル等に関するアイテムチェック頁と、ビューティケアに関する花嫁、花婿のメモ等を付すメモ頁と、ビューティケアに関する花嫁、花婿の感想等を付すメモリー頁とを含む複数の紙葉とを含む複数の紙葉からなるビューティケア関連情報紙葉群と、
結婚式に関するギフトに関して、ギフト関連情報のイメージ写真を付した表頁と、ギフトに関する概念を付したギフト概念頁とからなる見出し片を設けた紙葉と、ギフト概念頁の続き頁と、ギフト選択ガイド頁と、ギフトのヒント頁と、ギフトに関するアイテムチェック頁と、ギフトに関する感想等を付するメモリー頁とを含む複数の紙葉とを含む複数の紙葉からなるギフト関連情報紙葉群と、
結婚式に関する追加アイディア情報に関して、表頁と、ヒント頁と、新郎、新婦の写真、コメント等を付すメモリー頁と、アニバーサリーの一覧表頁と含む複数の紙葉からなる追加アイディア情報紙葉群と、
とからなり、
前記各紙葉群の各紙葉に差し込み用の穴を設けるとともに、前記複数項目からなる各紙葉群の内の所望の項目の紙葉群の組み合わせを開閉リング付きのブック本体に着脱可能に綴り込んだことを特徴とするウェディングブック。
【考案の詳細な説明】
【技術分野】
【０００１】
本考案は、ウェディングブックに関し、詳しくは、婚約に始まり結婚式前の種々の準備、結婚式当日の各種の事項、更には結婚後の記念日に至るまでの総合的な情報の把握、管理、更には結婚記念として有効に活用できるウェディングブックに関するものである。
【背景技術】
【０００２】
結婚を約束した二人が婚約に始まり結婚式前の事前準備や、結婚式当日の各種行事の遂行に必要な事項、行動は多様であり、これらを総合的、一括的に把握でき、かつ、後日の記念品としても有意義なガイドブック又はマニュアル的なウェディングブックの出現が望まれている。
【０００３】
特許文献１には、この種のウェディングブックに類するものとして、結婚に関する婚約から式に至る間でのストーリを記載するストーリファイル、行事に関する思い出の物品をファイルするメモリアルファイル、費用計画等を記載するワークシートファイルをブック形式とした結婚ノートが提案されている。
【０００４】
しかし、この特許文献１の結婚ノートの場合、各事項の記載が全体として総括的、概括的であり、具体性に欠けるものである。
【先行技術文献】
【特許文献】
【０００５】
【特許文献１】特開２００３−３９８５１号公報
【考案の概要】
【考案が解決しようとする課題】
【０００６】
本考案が解決しようとする問題点は、婚約に始まり結婚式前の事前準備や、結婚式当日の各種行事の遂行に必要な事項に関して、詳細精緻に認識し、必要事項や写真等も付加することができ、更には後日の記念品としても有意義であるような総合的、かつ、詳細な内容を有するウェディングブックが存在しない点である。
【課題を解決するための手段】
【０００７】
本考案に係るウェディングブックは、結婚式に関する準備情報を付し、かつ、関連する情報付加欄を具備する準備情報紙葉群と、結婚式に関するドレスに関連する情報を付し、かつ、関連する情報付加欄を具備するドレス関連情報紙葉群と、結婚式に関するゲストに関連する情報を付し、かつ、関連する情報付加欄を具備するゲスト関連情報紙葉群と、結婚式に関する料理に関連する情報を付し、かつ、関連する情報付加欄を具備する料理関連情報紙葉群と、結婚式に関する花に関連する情報を付し、かつ、関連する情報付加欄を具備する花関連情報紙葉群と、結婚式演出情報を付し、かつ、関連する情報付加欄を具備する結婚式演出情報紙葉群と、結婚式に関する記念写真・ビデオ情報を付し、かつ、関連する情報付加欄を具備する記念写真・ビデオ情報紙葉群と、結婚式に関するビューティケアに関連するビューティケア関連情報を付し、かつ、関連する情報付加欄を具備するビューティケア関連情報紙葉群と、結婚式に関するギフトに関連する情報を付し、かつ、関連する情報付加欄を具備するギフト関連情報紙葉群と、結婚式に関する追加アイディア情報を付し、かつ、関連する情報付加欄を具備する追加アイディア情報紙葉群と、結婚後のアニバーサリー一覧表頁と、を含む各紙葉群の集合からなることを最も主要な特徴とする。
【考案の効果】
【０００８】
請求項１記載の考案によれば、上述した構成としたことにより、婚約に始まり結婚式前の事前準備や、結婚式当日の各種行事の遂行に必要な事項に関して、詳細精緻に認識し、必要事項や写真等も付加することができ、更には後日の記念品としても有意義である総合的、かつ、詳細精緻な内容を有するウェディングブックを実現し提供することができる。
【０００９】
請求項２記載の考案によれば、請求項１記載の考案と同様な構成で、かつ、前記各紙葉群の各紙葉に差し込み用の穴を設けて各紙葉群を開閉リング付きのブック本体に着脱可能に綴り込んだ構成としたものであるから、婚約に始まり結婚式前の事前準備や、結婚式当日の各種行事の遂行に必要な事項に関して、詳細精緻に認識し、必要事項や写真等も付加することができ、更には後日の記念品としても有意義である総合的、かつ、詳細精緻な内容を有し、しかも、ブック本体に綴り込んでいるので見易く取り扱いや収納にも便利なウェディングブックを実現し提供することができる。
【００１０】
請求項３記載の考案によれば、結婚式に関するタイトルを付した表頁、心構えを付した心構え頁、結婚に関する成約、打ち合わせ頁と、結婚式場への申し込みから結婚式当日に至るスケジュールを記載したスケジュール記載頁と、新郎、新婦用のプロファイル記載頁と、新郎、新婦の思い出写真と貼付頁と、披露宴に関するテーマを記載するウェディングテーマ記載頁と、ウェディングテーマに応じたアイテム情報記載頁と、結婚式に関する各種項目のチェックを行うための複数のチェックリスト記載頁と、を含む複数の紙葉からなる準備情報紙葉群と、結婚式に関するドレスに関して、花嫁のドレス写真イメージ頁と、ドレス選びの概念を付したドレス選び概念頁とからなり見出し片を設けた紙葉と、ドレス選び概念頁の続き頁と、ウェディングドレスの概略図、概略説明を付したドレスチャート頁と、ドレスチャート（和風）頁と、ドレス選びのアドバイス等をしたヒント頁と、ドレスに関するアイテムをチェックするためのアイテムをチェック頁と、スナップ写真、感想メモリー頁とを含む複数の紙葉を含む複数の紙葉からなるドレス関連情報紙葉群と、結婚式に関するゲストに関して、ゲスト（招待客）に関するインビテーション（招待）イメージ頁と、インビテーション概念頁とからなる見出し片を設けた紙葉と、インビテーション概念の続き頁と、インビテーションのヒント頁と、新郎側、新婦側の各インビテーションリスト頁と、招待状に関する招待状ガイド頁と、披露宴会場での席次例頁と、親族ゲストの肩書早見頁と、ゲストの肩書を把握するための肩書一覧頁と、ゲストに関する感謝の気持ち等を付すためのゲスト関係メモリー頁とを含む複数の紙葉と、を含む複数の紙葉からなるゲスト関連情報紙葉群と、結婚式に関する料理に関して、ウェディングケーキイメージ頁と、宴席テーブル上の料理、花のイメージ頁とからなり見出し片を設けた紙葉と、料理等を選択するためのガイドメッセージ等を付した料理、ドリンク、ケーキの選択ガイドメッセージ頁と、料理等の選択に関する選択ヒント頁と、料理等のアイテムチェック頁と、料理等の感想等を付するメモリー頁とを含む複数の紙葉とを含む複数の紙葉からなる料理関連情報紙葉群と、結婚式に関する花に関して、花のイメージ頁と、花の選択概念を示す案内頁とからなる見出し片を設けた紙葉と、披露宴会場の花の選択ガイド頁と、花嫁のブーケのバリエーション頁と、ヒント集頁とを含む複数の紙葉とを含む複数の紙葉からなる花関連情報紙葉群と、結婚式に関する演出に関して、結婚式場の写真等を付した表頁と演出概念頁とからなる見出し片を設けた紙葉と、披露宴の演出に関するガイドメッセージを付した演出ガイド頁と、結婚式当日の一連の進行スケジュールを付した進行スケジュール頁と、演出に関するヒント頁と、新郎、新婦の演出に関するアイテムチェック頁とを含む複数の紙葉とを含む複数の紙葉からなる結婚式演出情報紙葉群と、結婚式に関する記念写真・ビデオに関して、記念写真のイメージ頁と、記念写真・ビデオに関する概念頁とからなる見出し片を設けた紙葉と、記念写真・ビデオに関する概念を付した概念頁と、記念写真・ビデオに関する各種ヒントを付したヒント頁と、ヒント頁の続き頁と、新郎、新婦の立ち振る舞い等に関するレッスン内容等を付したビューティレッスン頁と、アイテムチェック頁とを含む複数の紙葉とを含む複数の紙葉からなる記念写真・ビデオ情報紙葉群と、結婚式に関するビューティケアに関して、ビューティケアに関するイメージ写真を付した表頁と、ビューティケアの概念を付したビューティケア概念頁とからなる見出し片を設けた紙葉と、ビューティケアに関するガイドメッセージ等を付したビューティケアガイド頁と、花嫁のビューティケアポイント頁と、花嫁のヘアスタイルガイド頁と、花嫁、花婿のエステ、ヘアメイク、ネイル等に関するアイテムチェック頁と、ビューティケアに関する花嫁、花婿のメモ等を付すメモ頁と、ビューティケアに関する花嫁、花婿の感想等を付すメモリー頁とを含む複数の紙葉とを含む複数の紙葉からなるビューティケア関連情報紙葉群と、結婚式に関するギフトに関して、ギフト関連情報のイメージ写真を付した表頁と、ギフトに関する概念を付したギフト概念頁とからなる見出し片を設けた紙葉と、ギフト概念頁の続き頁と、ギフト選択ガイド頁と、ギフトのヒント頁と、ギフトに関するアイテムチェック頁と、ギフトに関する感想等を付するメモリー頁とを含む複数の紙葉とを含む複数の紙葉からなるギフト関連情報紙葉群と、結婚式に関する追加アイディア情報に関して、表頁と、ヒント頁と、新郎、新婦の写真、コメント等を付すメモリー頁と、アニバーサリー（記念日）一覧表頁と含む複数の紙葉からなる追加アイディア情報紙葉群と、を含み、前記各紙葉群の各紙葉に差し込み用の穴を設けて各紙葉群を開閉リング付きのブック本体に着脱可能に綴り込んだ構成としたものであるから、婚約に始まり結婚式前の事前準備や、結婚式当日の各種行事の遂行に必要な事項に関して、極めて詳細精緻に認識し、必要事項や写真等も付加することができ、更には後日の記念品としても有意義である総合的、かつ、詳細精緻な内容を有し、しかも、ブック本体に綴り込んでいるので見易く取り扱いや収納にも便利なウェディングブックを実現し提供することができる。
【００１１】
請求項４記載の考案によれば、請求項３記載のウェディングブックを構成する各項目の紙葉群の内における所望の項目の紙葉群の組み合わせを開閉リング付きのブック本体に着脱可能に綴り込んだものであるから、準備情報紙葉群、ドレス関連情報紙葉群、ゲスト関連情報紙葉群、料理関連情報紙葉群、花関連情報紙葉群、結婚式演出情報紙葉群、記念写真・ビデオ情報紙葉群、ビューティケア関連情報紙葉群、ギフト関連情報紙葉群、及び、結婚後のアニバーサリー一覧表頁を含む追加アイディア情報紙葉群からなる各項目の紙葉群の内から、新郎、新婦が選択した項目の紙葉群を綴り込んだウェディングブックとすることができ、ガイドブック又はマニュアル的なウェディングブックとして活用できるとともに、見易く取り扱いや収納にも便利なウェディングブックを実現し提供することができる。
【図面の簡単な説明】
【００１２】
【図１】図１は本考案の実施例に係るウェディングブックの概略斜視図である。
【図２】図２は本考案の実施例に係るウェディングブックの見開き状態の概略斜視図である。
【図３】図３は本考案の実施例に係るウェディングブックにおける準備情報紙葉群の内の表紙頁を示す平面図である。
【図４】図４は本考案の実施例に係るウェディングブックにおける準備情報紙葉群の内の心構え頁を示す平面図である。
【図５】図５は本考案の実施例に係るウェディングブックにおける準備情報紙葉群の内の心構え頁の続き頁を示す平面図である。
【図６】図６は本考案の実施例に係るウェディングブックにおける準備情報紙葉群の内の成約−打ち合わせ情報頁を示す平面図である。
【図７】図７は本考案の実施例に係るウェディングブックにおける準備情報紙葉群の内のスケジュール記載頁を示す平面図である。
【図８】図８は本考案の実施例に係るウェディングブックにおける準備情報紙葉群の内の新郎、新婦のプロファイル記載頁を示す平面図である。
【図９】図９は本考案の実施例に係るウェディングブックにおける準備情報紙葉群の内の思い出写真貼付頁を示す平面図である。
【図１０】図１０は本考案の実施例に係るウェディングブックにおける準備情報紙葉群の内のウェディングテーマ記載頁を示す平面図である。
【図１１】図１１は本考案の実施例に係るウェディングブックにおける準備情報紙葉群の内のウェディングテーマに応じたアイテム情報記載頁を示す平面図である。
【図１２】図１２は本考案の実施例に係るウェディングブックにおける準備情報紙葉群の内のチェックリスト記載頁を示す平面図である。
【図１３】図１３は本考案の実施例に係るウェディングブックにおける準備情報紙葉群の内のチェックリスト記載頁の続き頁を示す平面図である。
【図１４】図１４は本考案の実施例に係るウェディングブックにおける準備情報紙葉群の内のチェックリスト記載頁の続き頁を示す平面図である。
【図１５】図１５は本考案の実施例に係るウェディングブックにおけるドレス関連情報紙葉群の内のドレス写真イメージ頁を示す平面図である。
【図１６】図１５は本考案の実施例に係るウェディングブックにおけるドレス関連情報紙葉群の内のドレス選び概念頁を示す平面図である。
【図１７】図１７は本考案の実施例に係るウェディングブックにおけるドレス関連情報紙葉群の内のドレス選び概念頁の続き頁を示す平面図である。
【図１８】図１７は本考案の実施例に係るウェディングブックにおけるドレス関連情報紙葉群の内の新婦用、新郎用の各種のウェディングドレスの概略図及び概略説明を付したドレスチャート頁を示す平面図である。
【図１９】図１９は本考案の実施例に係るウェディングブックにおけるドレス関連情報紙葉群の内のドレスチャート（和風）頁を示す平面図である。
【図２０】図２０は本考案の実施例に係るウェディングブックにおけるドレス関連情報紙葉群の内のドレス選びのヒント頁を示す平面図である。
【図２１】図２１は本考案の実施例に係るウェディングブックにおけるドレス関連情報紙葉群の内のドレスに関するアイテムチェック頁を示す平面図である。
【図２２】図２２は本考案の実施例に係るウェディングブックにおけるドレス関連情報紙葉群の内のスナップ写真、感想メモリー頁を示す平面図である。
【図２３】図２３は本考案の実施例に係るウェディングブックにおけるゲスト関連情報紙葉群の内のインビテーションイメージ頁を示す平面図である。
【図２４】図２４は本考案の実施例に係るウェディングブックにおけるゲスト関連情報紙葉群の内のインビテーション概念頁を示す平面図である。
【図２５】図２５は本考案の実施例に係るウェディングブックにおけるゲスト関連情報紙葉群の内のインビテーション概念頁の続き頁を示す平面図である。
【図２６】図２６は本考案の実施例に係るウェディングブックにおけるゲスト関連情報紙葉群の内のインビテーションのヒント頁を示す平面図である。
【図２７】図２７は本考案の実施例に係るウェディングブックにおけるゲスト関連情報紙葉群の内のインビテーションリスト頁を示す平面図である。
【図２８】図２８は本考案の実施例に係るウェディングブックにおけるゲスト関連情報紙葉群の内の招待状ガイド頁を示す平面図である。
【図２９】図２９は本考案の実施例に係るウェディングブックにおけるゲスト関連情報紙葉群の内の席次例頁を示す平面図である。
【図３０】図３０は本考案の実施例に係るウェディングブックにおける親族ゲストの肩書早見頁を示す平面図である。
【図３１】図３１は本考案の実施例に係るウェディングブックにおけるゲスト関連情報紙葉群の内の肩書一覧頁を示す平面図である。
【図３２】図３１は本考案の実施例に係るウェディングブックにおけるゲスト関連情報紙葉群の内のゲスト関係メモリー頁を示す平面図である。
【図３３】図３３は本考案の実施例に係るウェディングブックにおける料理関連情報紙葉群の内のウェディングケーキイメージ頁を示す平面図である。
【図３４】図３３は本考案の実施例に係るウェディングブックにおける料理関連情報紙葉群の内の宴席テーブル上の料理、花のイメージ頁を示す平面図である。
【図３５】図３５は本考案の実施例に係るウェディングブックにおける料理関連情報紙葉群の内の料理、ドリンク、ケーキの選択ガイドメッセージ頁を示す平面図である。
【図３６】図３６は本考案の実施例に係るウェディングブックにおける料理関連情報紙葉群の内の料理、ドリンク、ケーキの選択ヒント頁を示す平面図である。
【図３７】図３７は本考案の実施例に係るウェディングブックにおける料理関連情報紙葉群の内のアイテムチェック頁を示す平面図である。
【図３８】図３８は本考案の実施例に係るウェディングブックにおける料理関連情報紙葉群の内のメモリー頁を示す平面図である。
【図３９】図３９は本考案の実施例に係るウェディングブックにおける花関連情報紙葉群の内の花のイメージ頁を示す平面図である。
【図４０】図４０は本考案の実施例に係るウェディングブックにおける花関連情報紙葉群の内の披露宴会場の花の選択概念を示す案内頁を示す平面図である。
【図４１】図４１は本考案の実施例に係るウェディングブックにおける花関連情報紙葉群の内の披露宴会場の花の選択ガイド頁を示す平面図である。
【図４２】図４２は本考案の実施例に係るウェディングブックにおける花関連情報紙葉群の内のブーケのバリエーション頁を示す平面図である。
【図４３】図４３は本考案の実施例に係るウェディングブックにおける花関連情報紙葉群の内のヒント集頁を示す平面図である。
【図４４】図４４は本考案の実施例に係るウェディングブックにおける花関連情報紙葉群の内のメモリー頁を示す平面図である。
【図４５】図４５は本考案の実施例に係るウェディングブックにおける結婚式演出情報紙葉群の内の表頁を示す平面図である。
【図４６】図４６は本考案の実施例に係るウェディングブックにおける結婚式演出情報紙葉群の内の演出概念頁を示す平面図である。
【図４７】図４７は本考案の実施例に係るウェディングブックにおける結婚式演出情報紙葉群の内の演出ガイド頁を示す平面図である。
【図４８】図４８は本考案の実施例に係るウェディングブックにおける結婚式演出情報紙葉群の内の進行スケジュール頁を示す平面図である。
【図４９】図４９は本考案の実施例に係るウェディングブックにおける結婚式演出情報紙葉群の内のヒント頁を示す平面図である。
【図５０】図５０は本考案の実施例に係るウェディングブックにおける結婚式演出情報紙葉群の内のアイテムチェック頁を示す平面図である。
【図５１】図５１は本考案の実施例に係るウェディングブックにおける結婚式演出情報紙葉群の内のメモリー頁を示す平面図である。
【図５２】図５２は本考案の実施例に係るウェディングブックにおける記念写真・ビデオ情報紙葉群の内のイメージ頁を示す平面図である。
【図５３】図５３は本考案の実施例に係るウェディングブックにおける記念写真・ビデオ情報紙葉群の内の記念写真・ビデオに関する概念頁を示す平面図である。
【図５４】図５４は本考案の実施例に係るウェディングブックにおける記念写真・ビデオ情報紙葉群の内の記念写真・ビデオに関する概念頁の続き頁を示す平面図である。
【図５５】図５５は本考案の実施例に係るウェディングブックにおける記念写真・ビデオ情報紙葉群の内のヒント頁を示す平面図である。
【図５６】図５６は本考案の実施例に係るウェディングブックにおける記念写真・ビデオ情報紙葉群の内のヒント頁の続き頁を示す平面図である。
【図５７】図５７は本考案の実施例に係るウェディングブックにおける記念写真・ビデオ情報紙葉群の内のビューティレッスン頁を示す平面図である。
【図５８】図５８は本考案の実施例に係るウェディングブックにおける記念写真・ビデオ情報紙葉群の内のアイテムチェック頁を示す平面図である。
【図５９】図５９は本考案の実施例に係るウェディングブックにおける記念写真・ビデオ情報紙葉群の内のメモリー頁を示す平面図である。
【図６０】図６０は本考案の実施例に係るウェディングブックにおけるビューティケア関連情報紙葉群の内の表頁を示す平面図である。
【図６１】図６１は本考案の実施例に係るウェディングブックにおけるビューティケア関連情報紙葉群の内のビューティケア概念頁を示す平面図である。
【図６２】図６２は本考案の実施例に係るウェディングブックにおけるビューティケア関連情報紙葉群の内のビューティケアガイド頁を示す平面図である。
【図６３】図６３は本考案の実施例に係るウェディングブックにおけるビューティケア関連情報紙葉群の内のビューティケアポイント頁を示す平面図である。
【図６４】図６４は本考案の実施例に係るウェディングブックにおけるビューティケア関連情報紙葉群の内のヘアスタイルガイド頁を示す平面図である。
【図６５】図６５は本考案の実施例に係るウェディングブックにおけるビューティケア関連情報紙葉群の内のビューティケアに関するアイテムチェック頁を示す平面図である。
【図６６】図６６は本考案の実施例に係るウェディングブックにおけるビューティケア関連情報紙葉群の内のビューティケアに関するメモ頁を示す平面図である。
【図６７】図６７は本考案の実施例に係るウェディングブックにおけるビューティケア関連情報紙葉群の内のビューティケアに関するメモリー頁を示す平面図である。
【図６８】図６８は本考案の実施例に係るウェディングブックにおけるギフト関連情報紙葉群の内の表頁を示す平面図である。
【図６９】図６９は本考案の実施例に係るウェディングブックにおけるギフト関連情報紙葉群の内のギフト概念頁を示す平面図である。
【図７０】図７０は本考案の実施例に係るウェディングブックにおけるギフト関連情報紙葉群の内のギフト概念頁の続き頁を示す平面図である。
【図７１】図７１は本考案の実施例に係るウェディングブックにおけるギフト関連情報紙葉群の内のギフト選択ガイド頁を示す平面図である。
【図７２】図７２は本考案の実施例に係るウェディングブックにおけるギフト関連情報紙葉群の内のギフトのヒント頁を示す平面図である。
【図７３】図７３は本考案の実施例に係るウェディングブックにおけるギフト関連情報紙葉群の内のギフトに関するアイテムチェック頁を示す平面図である。
【図７４】図７４は本考案の実施例に係るウェディングブックにおけるギフト関連情報紙葉群の内のギフトに関するメモリー頁を示す平面図である。
【図７５】図７５は本考案の実施例に係るウェディングブックにおける追加アイディア情報紙葉群の内の表頁を示す平面図である。
【図７６】図７６は本考案の実施例に係るウェディングブックにおける追加アイディア情報紙葉群の内のヒント頁を示す平面図である。
【図７７】図７７は本考案の実施例に係るウェディングブックにおける追加アイディア情報紙葉群の内のメモリー頁を示す平面図である。
【図７８】本考案の実施例に係るウェディングブックにおけるアニバーサリー（記念日）一覧表頁を示す平面図である。
【考案を実施するための形態】
【００１３】
本考案は、婚約に始まり結婚式前の事前準備や、結婚式当日の各種行事の遂行に必要な事項に関して、詳細精緻に認識し、必要事項や写真等も付加することができ、更には後日の記念品としても有意義な総合的、かつ、詳細な内容を有するウェディングブックを実現し提供するという目的を、結婚式に関するタイトルを付した表頁、心構えを付した心構え頁、結婚に関する成約、打ち合わせ頁と、結婚式場への申し込みから結婚式当日に至るスケジュールを記載したスケジュール記載頁と、新郎、新婦用のプロファイル記載頁と、新郎、新婦の思い出写真と貼付頁と、披露宴に関するテーマを記載するウェディングテーマ記載頁と、ウェディングテーマに応じたアイテム情報記載頁と、結婚式に関する各種項目のチェックを行うための複数のチェックリスト記載頁と、を含む複数の紙葉からなる準備情報紙葉群と、結婚式に関するドレスに関して、花嫁のドレス写真イメージ頁と、ドレス選びの概念を付したドレス選び概念頁とからなり見出し片を設けた紙葉と、ドレス選び概念頁の続き頁と、ウェディングドレスの概略図、概略説明を付したドレスチャート頁と、ドレスチャート（和風）頁と、ドレス選びのアドバイス等をしたヒント頁と、ドレスに関するアイテムをチェックするためのアイテムをチェック頁と、スナップ写真、感想メモリー頁とを含む複数の紙葉を含む複数の紙葉からなるドレス関連情報紙葉群と、結婚式に関するゲストに関して、ゲスト（招待客）に関するインビテーション（招待）イメージ頁と、インビテーション概念頁とからなる見出し片を設けた紙葉と、インビテーション概念の続き頁と、インビテーションのヒント頁と、新郎側、新婦側の各インビテーションリスト頁と、招待状に関する招待状ガイド頁と、披露宴会場での席次例頁と、親族ゲストの肩書早見頁と、ゲストの肩書を把握するための肩書一覧頁と、ゲストに関する感謝の気持ち等を付すためのゲスト関係メモリー頁とを含む複数の紙葉と、を含む複数の紙葉からなるゲスト関連情報紙葉群と、結婚式に関する料理に関して、ウェディングケーキイメージ頁と、宴席テーブル上の料理、花のイメージ頁とからなり見出し片を設けた紙葉と、料理等を選択するためのガイドメッセージ等を付した料理、ドリンク、ケーキの選択ガイドメッセージ頁と、料理等の選択に関する選択ヒント頁と、料理等のアイテムチェック頁と、料理等の感想等を付するメモリー頁とを含む複数の紙葉とを含む複数の紙葉からなる料理関連情報紙葉群と、結婚式に関する花に関して、花のイメージ頁と、花の選択概念を示す案内頁とからなる見出し片を設けた紙葉と、披露宴会場の花の選択ガイド頁と、花嫁のブーケのバリエーション頁と、ヒント集頁とを含む複数の紙葉とを含む複数の紙葉からなる花関連情報紙葉群と、結婚式に関する演出に関して、結婚式場の写真等を付した表頁と演出概念頁とからなる見出し片を設けた紙葉と、披露宴の演出に関するガイドメッセージを付した演出ガイド頁と、結婚式当日の一連の進行スケジュールを付した進行スケジュール頁と、演出に関するヒント頁と、新郎、新婦の演出に関するアイテムチェック頁とを含む複数の紙葉とを含む複数の紙葉からなる結婚式演出情報紙葉群と、結婚式に関する記念写真・ビデオに関して、記念写真のイメージ頁と、記念写真・ビデオに関する概念頁とからなる見出し片を設けた紙葉と、記念写真・ビデオに関する概念を付した概念頁と、記念写真・ビデオに関する各種ヒントを付したヒント頁と、ヒント頁の続き頁と、新郎、新婦の立ち振る舞い等に関するレッスン内容等を付したビューティレッスン頁と、アイテムチェック頁とを含む複数の紙葉とを含む複数の紙葉からなる記念写真・ビデオ情報紙葉群と、結婚式に関するビューティケアに関して、ビューティケアに関するイメージ写真を付した表頁と、ビューティケアの概念を付したビューティケア概念頁とからなる見出し片を設けた紙葉と、ビューティケアに関するガイドメッセージ等を付したビューティケアガイド頁と、花嫁のビューティケアポイント頁と、花嫁のヘアスタイルガイド頁と、花嫁、花婿のエステ、ヘアメイク、ネイル等に関するアイテムチェック頁と、ビューティケアに関する花嫁、花婿のメモ等を付すメモ頁と、ビューティケアに関する花嫁、花婿の感想等を付すメモリー頁とを含む複数の紙葉とを含む複数の紙葉からなるビューティケア関連情報紙葉群と、結婚式に関するギフトに関して、ギフト関連情報のイメージ写真を付した表頁と、ギフトに関する概念を付したギフト概念頁とからなる見出し片を設けた紙葉と、ギフト概念頁の続き頁と、ギフト選択ガイド頁と、ギフトのヒント頁と、ギフトに関するアイテムチェック頁と、ギフトに関する感想等を付するメモリー頁とを含む複数の紙葉とを含む複数の紙葉からなるギフト関連情報紙葉群と、結婚式に関する追加アイディア情報に関して、表頁と、ヒント頁と、新郎、新婦の写真、コメント等を付すメモリー頁と、アニバーサリー（記念日）一覧表頁と含む複数の紙葉からなる追加アイディア情報紙葉群と、を含み、前記各紙葉群の各紙葉に差し込み用の穴を設けて各紙葉群を開閉リング付きのブック本体に着脱可能に綴り込んだ構成により実現した。
【実施例】
【００１４】
以下、本考案の実施例に係るウェディングブック１について、図１乃至図７８を参照して詳細に説明する。
【００１５】
本実施例に係るウェディングブック１は、図１、図２に示すように、Ａ４サイズの紙葉に対応するサイズで、例えば、４穴対応の開閉リング式構造としたブック本体２に対して、詳細は後述する多数の紙葉群を着脱可能に綴り込んだ構成としている。
【００１６】
前記ブック本体２は、表紙２ａ、裏紙２ｂ及び背表紙２ｃを具備し、背表紙２ｃに４個の開閉リング４を配置した綴具３を取り付け、綴具３の両端に設けた操作片５を押すことで開閉リング４を開状態とし、各紙葉に４個の穴Ｈを各々前記開閉リング４に差し込むことでブック本体２に着脱可能に綴り込むように構成している。
【００１７】
なお、前記ブック本体２、各紙葉群のサイズは、Ａ４サイズに限らず、Ｂ４サイズ、Ｂ５サイズ等も選択し得ることはもちろんである。
【００１８】
次に、前記ブック本体２に綴り込む本実施例に係る多数の紙葉群について詳述する。
【００１９】
本実施例に係るウェディングブック１を構成する紙葉群は、例えばＡ４サイズに形成され、図３乃至図１４に示す結婚式に関する準備情報を付し、かつ、関連する情報付加欄を具備する準備情報紙葉群と、図５乃至図２２に示す結婚式に関するドレスに関連する情報を付し、かつ、関連する情報付加欄を具備するドレス関連情報紙葉群と、図２３乃至図３２に示す結婚式に関するゲストに関連する情報を付し、かつ、関連する情報付加欄を具備するゲスト関連情報紙葉群と、図３３乃至図３８に示す結婚式に関する料理に関連する情報を付し、かつ、関連する情報付加欄を具備する料理関連情報紙葉群と、図３９乃至図４４に示す結婚式に関する花に関連する情報を付し、かつ、関連する情報付加欄を具備する花関連情報紙葉群と、図４５乃至図５１に示す結婚式演出情報を付し、かつ、関連する情報付加欄を具備する結婚式演出情報紙葉群と、図５２乃至図５９に示す結婚式に関する記念写真・ビデオ情報を付し、かつ、関連する情報付加欄を具備する記念写真・ビデオ情報紙葉群と、図６０乃至図６７に示す結婚式に関するビューティケアに関連するビューティケア関連情報を付し、かつ、関連する情報付加欄を具備するビューティケア関連情報紙葉群と、図６８乃至図７４に示す結婚式に関するギフトに関連する情報を付し、かつ、関連する情報付加欄を具備するギフト関連情報紙葉群と、図７５乃至図７７に示す結婚式に関する追加アイディア情報を付し、かつ、関連する情報付加欄を具備する追加アイディア情報紙葉群と、図７８に示す結婚後のアニバーサリー（記念日）一覧表頁と、とから構成している。
【００２０】
以下、各紙葉群について具体的に説明する。
（１）準備情報紙葉群
前記準備情報紙葉群は、合計６枚の紙葉からなるものであり、図３に示す全体のタイトル（例えば「Ｗｅｄｄｉｎｇ  Ｂｏｏｋ」等）を付し、必要に応じて結婚式場等の写真を付す表紙頁１１と、図４に示す結婚に関する心構え情報を印刷し、更に、新郎、新婦の氏名記入欄を設けた心構え頁１２とから１枚目の紙葉を構成している。
【００２１】
前記準備情報紙葉群の内の２枚目の紙葉は、図５に示す前記心構え頁１２の場合と同様な心構え情報を付した続き頁１３と、図６に示す結婚に関する成約、新郎、新婦のプロファイル、ドレスの下見、花嫁の心掛け等の情報を文字により付した成約−打ち合わせ情報頁１４とにより構成している。
【００２２】
前記準備情報紙葉群の内の３枚目の紙葉は、図７に示す結婚式に関する結婚式場への申し込みから結婚式当日に至る前段階の打ち合わせ進行状況を記載するスケジュール記載頁１５と、図８に示す新郎、新婦の個人情報を記載するプロファイル記載頁１６とにより構成している。
【００２３】
前記準備情報紙葉群の内の４枚目の紙葉は、図９に示す新郎、新婦の結婚前段階の思い出写真を付する思い出写真貼付頁１７と、図１０に示す結婚式の披露宴等に関するテーマを記載するウェディングテーマ記載頁１８とにより構成している。
【００２４】
前記準備情報紙葉群の内の５枚目の紙葉は、図１１に示すウェディングテーマに応じた具体的なドレス、ゲストの人数、料理、飲み物、演出、写真・ビデオ、ビューティケア、ギフト等に関するアイテム情報を記載するアイテム情報記載頁１９と、図１２に示すドレス、ゲスト、招待状、料理、飲み物等に関するチェックを行うためのチェックリスト記載頁２０とにより構成している。
【００２５】
前記準備情報紙葉群の内の６枚目の紙葉は、図１３に示す花、演出、ビューティケアに関する項目からなるチェックリストの続き頁２１と、図１４に示すギフト、当日まで、その他の項目からなるチェックリストのさらなる続き頁２２とにより構成している。
【００２６】
（２）ドレス関連情報紙葉群
前記ドレス関連情報紙葉群は、合計４枚の紙葉からなるものであり、図１５に示す花嫁のドレス写真イメージ頁２３と、図１６に示すドレス選びに関する基本的な概念を付したドレス選び概念頁２４とにより１枚目の紙葉を構成している。
【００２７】
このドレス関連情報紙葉群の内の１枚目の紙葉には、小寸法の見出し片２３ａを設けて、この見出し片２３ａにドレスの文字を付している。
【００２８】
前記ドレス関連情報紙葉群の内の２枚目の紙葉は、図１７に示すように前記ドレス選び概念頁２４の続き頁２５と、図１８に示す新婦用、新郎用の各種のウェディングドレスの概略図及び概略説明を付したドレスチャート頁２６とにより構成している。
【００２９】
前記ドレス関連情報紙葉群の内の３枚目の紙葉は、図１９に示すように和風の花嫁衣裳、和風の花婿衣裳を付したドレスチャート（和風）頁２７と、図２０に示すドレス選びに関する先輩花嫁からのアドバイス等を付したヒント頁２８とにより構成している。
【００３０】
前記ドレス関連情報紙葉群の内の４枚目の紙葉は、図２１に示すようにドレスに関する新郎、新婦の希望ドレス（衣裳）、衣裳替えスケジュール等を付するアイテムチェック頁２９と、図２２に示すようにスナップ写真を貼ったり、感想を記入したりするスナップ写真、感想メモリー頁３０とにより構成している。
【００３１】
（３）ゲスト関連情報紙葉群
前記ゲスト関連情報紙葉群は、合計５枚の紙葉からなるものであり、図２３に示すゲスト（招待客）に関するインビテーション（招待）イメージ頁３１と、図２４に示すインビテーションの概念を付したインビテーション概念頁３２とにより１枚目の紙葉を構成している。
【００３２】
このゲスト関連情報紙葉群の内の１枚目の紙葉には、小寸法の見出し片３１ａを設け、この見出し片３１ａにゲストの文字を付している。
【００３３】
前記ゲスト関連情報紙葉群の内の２枚目の紙葉は、図２５に示す前記インビテーション概念頁３２の続き頁３３と、図２６に示す先輩花嫁からのアドバイス等を付したインビテーションのヒント頁３４とにより構成している。
【００３４】
前記ゲスト関連情報紙葉群の内の３枚目の紙葉は、図２７に示す新郎側、新婦側の各親族、友人、恩師等に関するインビテーションリスト頁３５と、図２８に示す招待状の発送日、発送日までの流れ等を付した招待状ガイド頁３６とにより構成している。
【００３５】
前記ゲスト関連情報紙葉群の内の４枚目の紙葉は、図２９に示す披露宴会場での席次例頁３７と、図３０に示す親族の親等関係を把握するための親族ゲストの肩書早見頁３８とにより構成している。
【００３６】
前記ゲスト関連情報紙葉群の内の５枚目の紙葉は、図３１に示すゲストの仕事関係、友人、親族、その他に区分けした肩書を把握するための肩書一覧頁３９と、図３２に示すゲストに関する感謝の気持ち、招待人数等を付すためのゲスト関係メモリー頁４０とにより構成している。
【００３７】
（４）料理関連情報紙葉群
前記料理関連情報紙葉群は、合計３枚の紙葉からなるものであり、図３３に示すウェディングケーキイメージ頁４１と、図３４に示す宴席テーブル上の料理、花のイメージ頁４２とにより１枚目の紙葉を構成している。
【００３８】
この料理関連情報紙葉群の内の１枚目の紙葉には、小寸法の見出し片４１ａを設け、この見出し片４１ａに料理の文字を付している。
【００３９】
前記料理関連情報紙葉群の内の２枚目の紙葉は、図３５に示す料理等を選択するためのガイドメッセージ等を付した料理、ドリンク、ケーキの選択ガイドメッセージ頁４３と、図３６に示す料理、ドリンク、ケーキに関する先輩花嫁からのアドバイス等を付する選択ヒント頁４４とにより構成している。
【００４０】
前記料理関連情報紙葉群の内の３枚目の紙葉は、図３７に示す料理、ドリンク、ケーキに関するアイテムチェック頁４５と、図３８に示す料理、ドリンク、ケーキに関する感想等を付するメモリー頁４６とにより構成している。
【００４１】
（５）花関連情報紙葉群
前記花関連情報紙葉群は、合計３枚の紙葉からなるものであり、図３９に示す花のイメージ頁４７と、図４０に示す披露宴会場を彩る花の選択概念を示す案内頁４８とにより１枚目の紙葉を構成している。
【００４２】
この花関連情報紙葉群の内の１枚目の紙葉には、小寸法の見出し片４７ａを設け、この見出し片４７ａに花の文字を付している。
【００４３】
前記花関連情報紙葉群の内の２枚目の紙葉群は、図４１に示す披露宴会場の花の選択ガイド頁４９と、図４２に示す花嫁のブーケのバリエーション頁５０とにより構成している。
【００４４】
前記花関連情報紙葉群の内の３枚目の紙葉群は、図４３に示す先輩花嫁からのアドバイス等を付するヒント集頁５１と、図４４に示す花に関するメモリー頁５２とにより構成している。
【００４５】
（６）結婚式演出情報紙葉群
前記結婚式演出情報紙葉群は、合計４枚、７頁構成であり、図４５に示す結婚式場の写真等を付した表頁５３と、図４６に示す演出概念頁５４とにより１枚目の紙葉を構成している。
【００４６】
この結婚式演出情報紙葉群の内の１枚目の紙葉には、小寸法の見出し片５３ａを設け、この見出し片５３ａにパフォーマンス（結婚式演出）の文字を付している。
【００４７】
前記結婚式演出情報紙葉群の内の２枚目の紙葉は、図４７に示す披露宴の演出に関するガイドメッセージを付した演出ガイド頁５５と、図４８に示す結婚式当日の一連の進行スケジュールを付した進行スケジュール頁５５１とにより構成している。
【００４８】
前記結婚式演出情報紙葉群の内の３枚目の紙葉は、図４９に示す先輩花嫁からのアドバイス等を付するヒント頁５６と、図５０に示す新郎、新婦の演出に関する希望メッセージ等を付するアイテムチェック頁５７とにより構成している。
【００４９】
前記結婚式演出情報紙葉群の内の４枚目の紙葉は、図５１に示す新郎、新婦の当日の感想等を付するメモリー頁５８により構成している。なお、４枚目の紙葉の裏頁は空白頁としている。
【００５０】
（７）記念写真・ビデオ情報紙葉群
前記記念写真・ビデオ情報紙葉群は、合計４枚、８頁構成であり、図５２に示す記念写真のイメージ頁６０と、図５３に示す記念写真・ビデオに関する概念頁６１とにより１枚目の紙葉を構成している。
【００５１】
この記念写真・ビデオ情報紙葉群の内の１枚目の紙葉には、小寸法の見出し片６０ａを設け、この見出し片６０ａに記念写真・ビデオの文字を付している。
【００５２】
前記記念写真・ビデオ情報紙葉群の内の２枚目の紙葉は、図５４に示す記念写真・ビデオに関する概念を付した概念頁６２と、図５５に示す記念写真・ビデオに関する各種ヒントを付したヒント頁６３とにより構成している。
【００５３】
前記記念写真・ビデオ情報紙葉群の内の３枚目の紙葉は、図５６に示す前記ヒント頁６３の続き頁６４と、図５７に示す新郎、新婦の立ち振る舞い等に関するレッスン内容等を付したビューティレッスン頁６５とにより構成している。
【００５４】
前記記念写真・ビデオ情報紙葉群の内の４枚目の紙葉は、図５８に示すアイテムチェック頁６６と、図５９に示す記念写真・ビデオに関する感想等を付するメモリー頁６７とにより構成している。
【００５５】
（８）ビューティケア関連情報紙葉群
前記ビューティケア関連情報紙葉群は、合計４枚、８頁構成であり、図６０に示すビューティケアに関するイメージ写真を付した表頁６８と、図６１に示すビューティケアの概念を付したビューティケア概念頁６９とにより１枚目の紙葉を構成している。
【００５６】
このビューティケア関連情報紙葉群の内の１枚目の紙葉には、小寸法の見出し片６８ａを設け、この見出し片６８ａにビューティケアの文字を付している。
【００５７】
前記ビューティケア関連情報紙葉群の内の２枚目の紙葉は、図６２に示すビューティケアに関するガイドメッセージ等を付したビューティケアガイド頁７０と、図６３に示す花嫁のビューティケアポイントに関する概略図、説明等を付したビューティケアポイント頁７１とにより構成している。
【００５８】
前記ビューティケア関連情報紙葉群の内の３枚目の紙葉は、図６４に示す花嫁のヘアスタイルガイド頁７２と、図６５に示すビューティケアにおける花嫁、花婿のエステ、ヘアメイク、ネイル等に関するアイテムチェック頁７３とにより構成している。
【００５９】
前記ビューティケア関連情報紙葉群の内の４枚目の紙葉は、図６６に示すビューティケアに関する花嫁、花婿のメモ等を付すメモ頁７４と、図６７に示すビューティケアに関する花嫁、花婿の感想等を付すメモリー頁７５とにより構成している。
【００６０】
（９）ギフト関連情報紙葉群
前記ギフト関連情報紙葉群は、合計４枚、７頁構成からなり、図６８に示すギフト関連情報のイメージ写真を付した表頁７６と、図６９に示すギフトに関する概念を付したギフト概念頁７７とにより１枚目の紙葉を構成している。
【００６１】
このビューティケア関連情報紙葉群の内の１枚目の紙葉には、小寸法の見出し片７６ａを設け、この見出し片７６ａにギフトの文字を付している。
【００６２】
前記ギフト関連情報紙葉群の内の２枚目の紙葉は、図７０に示すように前記ギフト概念頁７５の続き頁７８と、図７１に示すギフトの選択に関するガイドメッセージ等を付したギフト選択ガイド頁７９とにより構成している。
【００６３】
前記ギフト関連情報紙葉群の内の３枚目の紙葉は、図７２に示す先輩花嫁からのアドバイス等を付するギフトのヒント頁８０と、図７３に示す引き出物等のギフトに関するアイテムチェック頁８１とにより構成している。
【００６４】
前記ギフト関連情報紙葉群の内の４枚目の紙葉は、図７４に示すギフトに関する感想等を付するメモリー頁８２により構成している。なお、４枚目の紙葉の裏頁は空白頁としている。
【００６５】
（１０）追加アイディア情報紙葉群
前記追加アイディア情報紙葉群は、図７５に示す表頁８４と、図７６に示すヒント頁８５とにより１枚目の紙葉を構成している。
【００６６】
前記追加アイディア情報紙葉群の内における２枚目の紙葉は図７７に示す結婚式当日の新郎、新婦の写真、コメント等を付すメモリー頁８６と、図７８に示すアニバーサリー（記念日）一覧表頁８７とにより構成している。
【００６７】
このアニバーサリー（記念日）一覧表頁８７は、結婚後の経過年数、各年数に応じた記念日の名称、各記念日に応じたプレゼント例等を一覧的に記載したものである。
【００６８】
以上説明した本考案によれば、上述した具体的、かつ、精緻な内容からなる準備情報紙葉群、ドレス関連情報紙葉群、ゲスト関連情報紙葉群、料理関連情報紙葉群、花関連情報紙葉群、結婚式演出情報紙葉群、記念写真・ビデオ情報紙葉群、ビューティケア関連情報紙葉群、ギフト関連情報紙葉群、及び、結婚後のアニバーサリー一覧表頁８７を含む追加アイディア情報紙葉群からなる各項目の紙葉群を、開閉リング４付きの綴具３を具備するブック本体２に着脱可能に綴り込んだものであるから、新郎、新婦となる二人の間の婚約に始まり、結婚式前の事前準備や、結婚式当日の各種行事の遂行に必要な事項に関して、詳細精緻に認識し、必要事項や写真等も付加することができ、更には後日の記念品としても有意義である総合的、かつ、詳細精緻な内容を有するウェディングブック１を実現し提供することができる。
【００６９】
また、アニバーサリー一覧表頁８７をも具備するので、結婚後の経過年数に応じた記念日の把握等にも便利なウェディングブック１を実現し提供することができる。
【００７０】
更に、前記各項目の紙葉群の内から、新郎、新婦が選択した任意の項目の紙葉群を綴り込んだウェディングブック１とすることもでき、この場合には、必要な項目に関するガイドブック又はマニュアル的なウェディングブック１として活用できるとともに、見易く取り扱いや収納にも便利となる。
【００７１】
選択する任意の項目の紙葉群としては、例えば、準備情報紙葉群、ドレス関連情報紙葉群、ゲスト関連情報紙葉群、料理関連情報紙葉群、花関連情報紙葉群、結婚式演出情報紙葉群、記念写真・ビデオ情報紙葉群、及び、ギフト関連情報紙葉群の組み合わせ等の例を挙げることができる。
【産業上の利用可能性】
【００７２】
本考案のウェディングブックは、主として結婚式場で挙式する場合に好適であるが、この他、教会での挙式、海外施設での挙式等々にも応用可能であることは勿論である。
【符号の説明】
【００７３】
１    ウェディングブック
２    ブック本体
２ａ  表紙
２ｂ  裏紙
２ｃ  背表紙
３    綴具
４    開閉リング
５    操作片
１１    表紙頁
１２    心構え頁
１３    続き頁
１４    成約−打ち合わせ情報頁
１５    スケジュール記載頁
１６    プロファイル記載頁
１７    思い出写真貼付頁
１８    ウェディングテーマ記載頁
１９    アイテム情報記載頁
２０    チェックリスト記載頁
２１    続き頁
２２    続き頁
２３    ドレス写真イメージ頁
２３ａ  見出し片
２４    ドレス選び概念頁
２５    続き頁
２６    ドレスチャート頁
２７    ドレスチャート（和風）頁
２８    ヒント頁
２９    アイテムチェック頁
３０    スナップ写真、感想メモリー頁
３１    インビテーション（招待）イメージ頁
３１ａ  見出し片
３２    インビテーション概念頁
３３    続き頁
３４    ヒント頁
３５    インビテーションリスト頁
３６    招待状ガイド頁
３７    席次例頁
３８    肩書早見頁
３９    肩書一覧頁
４０    ゲスト関係メモリー頁
４１    ウェディングケーキイメージ頁
４１ａ  見出し片
４２    イメージ頁
４３    選択ガイドメッセージ頁
４４    選択ヒント頁
４５    アイテムチェック頁
４６    メモリー頁
４７    イメージ頁
４７ａ  見出し片
４８    案内頁
４９    選択ガイド頁
５０    バリエーション頁
５１    ヒント集頁
５２    メモリー頁
５３    表頁
５３ａ  見出し片
５４    演出概念頁
５５    演出ガイド頁
５５１  進行スケジュール頁
５６    ヒント頁
５７    アイテムチェック頁
５８    メモリー頁
６０    記念写真のイメージ頁
６０ａ  見出し片
６１    記念写真・ビデオに関する概念頁
６２    概念頁
６３    ヒント頁
６４    続き頁
６５    ビューティレッスン頁
６６    アイテムチェック頁
６７    メモリー頁
６８    表頁
６８ａ  見出し片
６９    ビューティケア概念頁
７０    ビューティケアガイド頁
７１    ビューティケアポイント頁
７２    ヘアスタイルガイド頁
７３    アイテムチェック頁
７４    メモ頁
７５    ギフト概念頁
７５    メモリー頁
７６    表頁
７６ａ  見出し片
７７    ギフト概念頁
７８    続き頁
７９    ギフト選択ガイド頁
８０    ヒント頁
８１    アイテムチェック頁
８２    メモリー頁
８４    表頁
８５    ヒント頁
８６    メモリー頁
８７    アニバーサリー（記念日）一覧表頁
Ｈ    穴
【図１】
0003158813.tif 000003
【図２】
0003158813.tif 000004
【図３】
0003158813.tif 000005
【図４】
0003158813.tif 000006
【図５】
0003158813.tif 000007
【図６】
0003158813.tif 000008
【図７】
0003158813.tif 000009
【図８】
0003158813.tif 000010
【図９】
0003158813.tif 000011
【図１０】
0003158813.tif 000012
【図１１】
0003158813.tif 000013
【図１２】
0003158813.tif 000014
【図１３】
0003158813.tif 000015
【図１４】
0003158813.tif 000016
【図１５】
0003158813.tif 000017
【図１６】
0003158813.tif 000018
【図１７】
0003158813.tif 000019
【図１８】
0003158813.tif 000020
【図１９】
0003158813.tif 000021
【図２０】
0003158813.tif 000022
【図２１】
0003158813.tif 000023
【図２２】
0003158813.tif 000024
【図２３】
0003158813.tif 000025
【図２４】
0003158813.tif 000026
【図２５】
0003158813.tif 000027
【図２６】
0003158813.tif 000028
【図２７】
0003158813.tif 000029
【図２８】
0003158813.tif 000030
【図２９】
0003158813.tif 000031
【図３０】
0003158813.tif 000032
【図３１】
0003158813.tif 000033
【図３２】
0003158813.tif 000034
【図３３】
0003158813.tif 000035
【図３４】
0003158813.tif 000036
【図３５】
0003158813.tif 000037
【図３６】
0003158813.tif 000038
【図３７】
0003158813.tif 000039
【図３８】
0003158813.tif 000040
【図３９】
0003158813.tif 000041
【図４０】
0003158813.tif 000042
【図４１】
0003158813.tif 000043
【図４２】
0003158813.tif 000044
【図４３】
0003158813.tif 000045
【図４４】
0003158813.tif 000046
【図４５】
0003158813.tif 000047
【図４６】
0003158813.tif 000048
【図４７】
0003158813.tif 000049
【図４８】
0003158813.tif 000050
【図４９】
0003158813.tif 000051
【図５０】
0003158813.tif 000052
【図５１】
0003158813.tif 000053
【図５２】
0003158813.tif 000054
【図５３】
0003158813.tif 000055
【図５４】
0003158813.tif 000056
【図５５】
0003158813.tif 000057
【図５６】
0003158813.tif 000058
【図５７】
0003158813.tif 000059
【図５８】
0003158813.tif 000060
【図５９】
0003158813.tif 000061
【図６０】
0003158813.tif 000062
【図６１】
0003158813.tif 000063
【図６２】
0003158813.tif 000064
【図６３】
0003158813.tif 000065
【図６４】
0003158813.tif 000066
【図６５】
0003158813.tif 000067
【図６６】
0003158813.tif 000068
【図６７】
0003158813.tif 000069
【図６８】
0003158813.tif 000070
【図６９】
0003158813.tif 000071
【図７０】
0003158813.tif 000072
【図７１】
0003158813.tif 000073
【図７２】
0003158813.tif 000074
【図７３】
0003158813.tif 000075
【図７４】
0003158813.tif 000076
【図７５】
0003158813.tif 000077
【図７６】
0003158813.tif 000078
【図７７】
0003158813.tif 000079
【図７８】
0003158813.tif 000080
【手続補正書】
【提出日】平成22年2月10日(2010.2.10)
【手続補正１】
【補正対象書類名】明細書
【補正対象項目名】０００８
【補正方法】変更
【補正の内容】
【０００８】
請求項１記載の考案によれば、上述した構成としたことにより、婚約に始まり結婚式前の事前準備や、結婚式当日の各種行事の遂行に必要な事項に関して、詳細精緻に認識し、必要事項や写真も付加することができ、更には後日の記念品としても有意義である総合的、かつ、詳細精緻な内容を有するウェディングブックを実現し提供することができる。
【手続補正２】
【補正対象書類名】明細書
【補正対象項目名】０００９
【補正方法】変更
【補正の内容】
【０００９】
請求項２記載の考案によれば、請求項１記載の考案と同様な構成で、かつ、前記各紙葉群の各紙葉に差し込み用の穴を設けて各紙葉群を開閉リング付きのブック本体に着脱可能に綴り込んだ構成としたものであるから、婚約に始まり結婚式前の事前準備や、結婚式当日の各種行事の遂行に必要な事項に関して、詳細精緻に認識し、必要事項や写真も付加することができ、更には後日の記念品としても有意義である総合的、かつ、詳細精緻な内容を有し、しかも、ブック本体に綴り込んでいるので見易く取り扱いや収納にも便利なウェディングブックを実現し提供することができる。
【手続補正３】
【補正対象書類名】明細書
【補正対象項目名】００１０
【補正方法】変更
【補正の内容】
【００１０】
請求項３記載の考案によれば、結婚式に関するタイトルを付した表頁、心構えを付した心構え頁、結婚に関する成約、打ち合わせ頁と、結婚式場への申し込みから結婚式当日に至るスケジュールを記載したスケジュール記載頁と、新郎、新婦用のプロファイル記載頁と、新郎、新婦の思い出写真と貼付頁と、披露宴に関するテーマを記載するウェディングテーマ記載頁と、ウェディングテーマに応じたアイテム情報記載頁と、結婚式に関する各種項目のチェックを行うための複数のチェックリスト記載頁と、を含む複数の紙葉からなる準備情報紙葉群と、結婚式に関するドレスに関して、花嫁のドレス写真イメージ頁と、ドレス選びの概念を付したドレス選び概念頁とからなり見出し片を設けた紙葉と、ドレス選び概念頁の続き頁と、ウェディングドレスの概略図、概略説明を付したドレスチャート頁と、ドレスチャート（和風）頁と、ドレス選びのアドバイスをしたヒント頁と、ドレスに関するアイテムをチェックするためのアイテムをチェック頁と、スナップ写真、感想メモリー頁とを含む複数の紙葉を含む複数の紙葉からなるドレス関連情報紙葉群と、結婚式に関するゲストに関して、ゲスト（招待客）に関するインビテーション（招待）イメージ頁と、インビテーション概念頁とからなる見出し片を設けた紙葉と、インビテーション概念の続き頁と、インビテーションのヒント頁と、新郎側、新婦側の各インビテーションリスト頁と、招待状に関する招待状ガイド頁と、披露宴会場での席次例頁と、親族ゲストの肩書早見頁と、ゲストの肩書を把握するための肩書一覧頁と、ゲストに関する感謝の気持ちを付すためのゲスト関係メモリー頁とを含む複数の紙葉と、を含む複数の紙葉からなるゲスト関連情報紙葉群と、結婚式に関する料理に関して、ウェディングケーキイメージ頁と、宴席テーブル上の料理、花のイメージ頁とからなり見出し片を設けた紙葉と、料理を選択するためのガイドメッセージを付した料理、ドリンク、ケーキの選択ガイドメッセージ頁と、料理の選択に関する選択ヒント頁と、料理のアイテムチェック頁と、料理の感想を付するメモリー頁とを含む複数の紙葉とを含む複数の紙葉からなる料理関連情報紙葉群と、結婚式に関する花に関して、花のイメージ頁と、花の選択概念を示す案内頁とからなる見出し片を設けた紙葉と、披露宴会場の花の選択ガイド頁と、花嫁のブーケのバリエーション頁と、ヒント集頁とを含む複数の紙葉とを含む複数の紙葉からなる花関連情報紙葉群と、結婚式に関する演出に関して、結婚式場の写真を付した表頁と演出概念頁とからなる見出し片を設けた紙葉と、披露宴の演出に関するガイドメッセージを付した演出ガイド頁と、結婚式当日の一連の進行スケジュールを付した進行スケジュール頁と、演出に関するヒント頁と、新郎、新婦の演出に関するアイテムチェック頁とを含む複数の紙葉とを含む複数の紙葉からなる結婚式演出情報紙葉群と、結婚式に関する記念写真・ビデオに関して、記念写真のイメージ頁と、記念写真・ビデオに関する概念頁とからなる見出し片を設けた紙葉と、記念写真・ビデオに関する概念を付した概念頁と、記念写真・ビデオに関する各種ヒントを付したヒント頁と、ヒント頁の続き頁と、新郎、新婦の立ち振る舞いに関するレッスン内容を付したビューティレッスン頁と、アイテムチェック頁とを含む複数の紙葉とを含む複数の紙葉からなる記念写真・ビデオ情報紙葉群と、結婚式に関するビューティケアに関して、ビューティケアに関するイメージ写真を付した表頁と、ビューティケアの概念を付したビューティケア概念頁とからなる見出し片を設けた紙葉と、ビューティケアに関するガイドメッセージを付したビューティケアガイド頁と、花嫁のビューティケアポイント頁と、花嫁のヘアスタイルガイド頁と、花嫁、花婿のエステ、ヘアメイク、ネイルに関するアイテムチェック頁と、ビューティケアに関する花嫁、花婿のメモを付すメモ頁と、ビューティケアに関する花嫁、花婿の感想を付すメモリー頁とを含む複数の紙葉とを含む複数の紙葉からなるビューティケア関連情報紙葉群と、結婚式に関するギフトに関して、ギフト関連情報のイメージ写真を付した表頁と、ギフトに関する概念を付したギフト概念頁とからなる見出し片を設けた紙葉と、ギフト概念頁の続き頁と、ギフト選択ガイド頁と、ギフトのヒント頁と、ギフトに関するアイテムチェック頁と、ギフトに関する感想を付するメモリー頁とを含む複数の紙葉とを含む複数の紙葉からなるギフト関連情報紙葉群と、結婚式に関する追加アイディア情報に関して、表頁と、ヒント頁と、新郎、新婦の写真、コメントを付すメモリー頁と、アニバーサリー（記念日）一覧表頁と含む複数の紙葉からなる追加アイディア情報紙葉群と、を含み、前記各紙葉群の各紙葉に差し込み用の穴を設けて各紙葉群を開閉リング付きのブック本体に着脱可能に綴り込んだ構成としたものであるから、婚約に始まり結婚式前の事前準備や、結婚式当日の各種行事の遂行に必要な事項に関して、極めて詳細精緻に認識し、必要事項や写真も付加することができ、更には後日の記念品としても有意義である総合的、かつ、詳細精緻な内容を有し、しかも、ブック本体に綴り込んでいるので見易く取り扱いや収納にも便利なウェディングブックを実現し提供することができる。
【手続補正４】
【補正対象書類名】実用新案登録請求の範囲
【補正対象項目名】請求項３
【補正方法】変更
【補正の内容】
【請求項３】
結婚式に関するタイトルを付した表頁、心構えを付した心構え頁、結婚に関する成約、打ち合わせ頁と、結婚式場への申し込みから結婚式当日に至るスケジュールを記載したスケジュール記載頁と、新郎、新婦用のプロファイル記載頁と、新郎、新婦の思い出写真と貼付頁と、披露宴に関するテーマを記載するウェディングテーマ記載頁と、ウェディングテーマに応じたアイテム情報記載頁と、結婚式に関する各種項目のチェックを行うための複数のチェックリスト記載頁と、を含む複数の紙葉からなる準備情報紙葉群と、
結婚式に関するドレスに関して、花嫁のドレス写真イメージ頁と、ドレス選びの概念を付したドレス選び概念頁とからなり見出し片を設けた紙葉と、ドレス選び概念頁の続き頁と、ウェディングドレスの概略図、概略説明を付したドレスチャート頁と、和風なドレスチャート頁と、ドレス選びのアドバイスをしたヒント頁と、ドレスに関するアイテムをチェックするためのアイテムをチェック頁と、スナップ写真、感想メモリー頁とを含む複数の紙葉を含む複数の紙葉からなるドレス関連情報紙葉群と、
結婚式に関するゲストに関して、ゲスト・招待客に関するインビテーションイメージ頁と、インビテーション概念頁とからなる見出し片を設けた紙葉と、インビテーション概念の続き頁と、インビテーションのヒント頁と、新郎側、新婦側の各インビテーションリスト頁と、招待状に関する招待状ガイド頁と、披露宴会場での席次例頁と、親族ゲストの肩書早見頁と、ゲストの肩書を把握するための肩書一覧頁と、ゲストに関する感謝の気持ちを付すためのゲスト関係メモリー頁とを含む複数の紙葉と、を含む複数の紙葉からなるゲスト関連情報紙葉群と、
結婚式に関する料理に関して、ウェディングケーキイメージ頁と、宴席テーブル上の料理、花のイメージ頁とからなり見出し片を設けた紙葉と、料理を選択するためのガイドメッセージを付した料理、ドリンク、ケーキの選択ガイドメッセージ頁と、料理の選択に関する選択ヒント頁と、料理のアイテムチェック頁と、料理の感想を付するメモリー頁とを含む複数の紙葉とを含む複数の紙葉からなる料理関連情報紙葉群と、
結婚式に関する花に関して、花のイメージ頁と、花の選択概念を示す案内頁とからなる見出し片を設けた紙葉と、披露宴会場の花の選択ガイド頁と、花嫁のブーケのバリエーション頁と、ヒント集頁とを含む複数の紙葉とを含む複数の紙葉からなる花関連情報紙葉群と、
結婚式に関する演出に関して、結婚式場の写真を付した表頁と演出概念頁とからなる見出し片を設けた紙葉と、披露宴の演出に関するガイドメッセージを付した演出ガイド頁と、結婚式当日の一連の進行スケジュールを付した進行スケジュール頁と、演出に関するヒント頁と、新郎、新婦の演出に関するアイテムチェック頁とを含む複数の紙葉とを含む複数の紙葉からなる結婚式演出情報紙葉群と、
結婚式に関する記念写真・ビデオに関して、記念写真のイメージ頁と、記念写真・ビデオに関する概念頁とからなる見出し片を設けた紙葉と、記念写真・ビデオに関する概念を付した概念頁と、記念写真・ビデオに関する各種ヒントを付したヒント頁と、ヒント頁の続き頁と、新郎、新婦の立ち振る舞いに関するレッスン内容を付したビューティレッスン頁と、アイテムチェック頁とを含む複数の紙葉とを含む複数の紙葉からなる記念写真・ビデオ情報紙葉群と、
結婚式に関するビューティケアに関して、ビューティケアに関するイメージ写真を付した表頁と、ビューティケアの概念を付したビューティケア概念頁とからなる見出し片を設けた紙葉と、ビューティケアに関するガイドメッセージを付したビューティケアガイド頁と、花嫁のビューティケアポイント頁と、花嫁のヘアスタイルガイド頁と、花嫁、花婿のエステ、ヘアメイク、ネイルに関するアイテムチェック頁と、ビューティケアに関する花嫁、花婿のメモを付すメモ頁と、ビューティケアに関する花嫁、花婿の感想を付すメモリー頁とを含む複数の紙葉とを含む複数の紙葉からなるビューティケア関連情報紙葉群と、
結婚式に関するギフトに関して、ギフト関連情報のイメージ写真を付した表頁と、ギフトに関する概念を付したギフト概念頁とからなる見出し片を設けた紙葉と、ギフト概念頁の続き頁と、ギフト選択ガイド頁と、ギフトのヒント頁と、ギフトに関するアイテムチェック頁と、ギフトに関する感想を付するメモリー頁とを含む複数の紙葉とを含む複数の紙葉からなるギフト関連情報紙葉群と、
結婚式に関する追加アイディア情報に関して、表頁と、ヒント頁と、新郎、新婦の写真、コメントを付すメモリー頁と、アニバーサリーの一覧表頁と含む複数の紙葉からなる追加アイディア情報紙葉群と、
を含み、
前記各紙葉群の各紙葉に差し込み用の穴を設けて各紙葉群を開閉リング付きのブック本体に着脱可能に綴り込んだことを特徴とするウェディングブック。
【手続補正５】
【補正対象書類名】実用新案登録請求の範囲
【補正対象項目名】請求項４
【補正方法】変更
【補正の内容】
【請求項４】
結婚式に関するタイトルを付した表頁、心構えを付した心構え頁、結婚に関する成約、打ち合わせ頁と、結婚式場への申し込みから結婚式当日に至るスケジュールを記載したスケジュール記載頁と、新郎、新婦用のプロファイル記載頁と、新郎、新婦の思い出写真と貼付頁と、披露宴に関するテーマを記載するウェディングテーマ記載頁と、ウェディングテーマに応じたアイテム情報記載頁と、結婚式に関する各種項目のチェックを行うための複数のチェックリスト記載頁と、を含む複数の紙葉からなる準備情報紙葉群と、
結婚式に関するドレスに関して、花嫁のドレス写真イメージ頁と、ドレス選びの概念を付したドレス選び概念頁とからなり見出し片を設けた紙葉と、ドレス選び概念頁の続き頁と、ウェディングドレスの概略図、概略説明を付したドレスチャート頁と、和風ドレスチャート頁と、ドレス選びのアドバイスをしたヒント頁と、ドレスに関するアイテムをチェックするためのアイテムをチェック頁と、スナップ写真、感想メモリー頁とを含む複数の紙葉を含む複数の紙葉からなるドレス関連情報紙葉群と、
結婚式に関するゲストに関して、ゲスト・招待客に関するインビテーションイメージ頁と、インビテーション概念頁とからなる見出し片を設けた紙葉と、インビテーション概念の続き頁と、インビテーションのヒント頁と、新郎側、新婦側の各インビテーションリスト頁と、招待状に関する招待状ガイド頁と、披露宴会場での席次例頁と、親族ゲストの肩書早見頁と、ゲストの肩書を把握するための肩書一覧頁と、ゲストに関する感謝の気持ちを付すためのゲスト関係メモリー頁とを含む複数の紙葉と、を含む複数の紙葉からなるゲスト関連情報紙葉群と、
結婚式に関する料理に関して、ウェディングケーキイメージ頁と、宴席テーブル上の料理、花のイメージ頁とからなり見出し片を設けた紙葉と、料理を選択するためのガイドメッセージを付した料理、ドリンク、ケーキの選択ガイドメッセージ頁と、料理の選択に関する選択ヒント頁と、料理のアイテムチェック頁と、料理の感想を付するメモリー頁とを含む複数の紙葉とを含む複数の紙葉からなる料理関連情報紙葉群と、
結婚式に関する花に関して、花のイメージ頁と、花の選択概念を示す案内頁とからなる見出し片を設けた紙葉と、披露宴会場の花の選択ガイド頁と、花嫁のブーケのバリエーション頁と、ヒント集頁とを含む複数の紙葉とを含む複数の紙葉からなる花関連情報紙葉群と、
結婚式に関する演出に関して、結婚式場の写真を付した表頁と演出概念頁とからなる見出し片を設けた紙葉と、披露宴の演出に関するガイドメッセージを付した演出ガイド頁と、結婚式当日の一連の進行スケジュールを付した進行スケジュール頁と、演出に関するヒント頁と、新郎、新婦の演出に関するアイテムチェック頁とを含む複数の紙葉とを含む複数の紙葉からなる結婚式演出情報紙葉群と、
結婚式に関する記念写真・ビデオに関して、記念写真のイメージ頁と、記念写真・ビデオに関する概念頁とからなる見出し片を設けた紙葉と、記念写真・ビデオに関する概念を付した概念頁と、記念写真・ビデオに関する各種ヒントを付したヒント頁と、ヒント頁の続き頁と、新郎、新婦の立ち振る舞いに関するレッスン内容を付したビューティレッスン頁と、アイテムチェック頁とを含む複数の紙葉とを含む複数の紙葉からなる記念写真・ビデオ情報紙葉群と、
結婚式に関するビューティケアに関して、ビューティケアに関するイメージ写真を付した表頁と、ビューティケアの概念を付したビューティケア概念頁とからなる見出し片を設けた紙葉と、ビューティケアに関するガイドメッセージを付したビューティケアガイド頁と、花嫁のビューティケアポイント頁と、花嫁のヘアスタイルガイド頁と、花嫁、花婿のエステ、ヘアメイク、ネイルに関するアイテムチェック頁と、ビューティケアに関する花嫁、花婿のメモを付すメモ頁と、ビューティケアに関する花嫁、花婿の感想を付すメモリー頁とを含む複数の紙葉とを含む複数の紙葉からなるビューティケア関連情報紙葉群と、
結婚式に関するギフトに関して、ギフト関連情報のイメージ写真を付した表頁と、ギフトに関する概念を付したギフト概念頁とからなる見出し片を設けた紙葉と、ギフト概念頁の続き頁と、ギフト選択ガイド頁と、ギフトのヒント頁と、ギフトに関するアイテムチェック頁と、ギフトに関する感想を付するメモリー頁とを含む複数の紙葉とを含む複数の紙葉からなるギフト関連情報紙葉群と、
結婚式に関する追加アイディア情報に関して、表頁と、ヒント頁と、新郎、新婦の写真、コメントを付すメモリー頁と、アニバーサリーの一覧表頁と含む複数の紙葉からなる追加アイディア情報紙葉群と、
とからなり、
前記各紙葉群の各紙葉に差し込み用の穴を設けるとともに、前記複数項目からなる各紙葉群の内の所望の項目の紙葉群の組み合わせを開閉リング付きのブック本体に着脱可能に綴り込んだことを特徴とするウェディングブック。
【手続補正６】
【補正対象書類名】図面
【補正対象項目名】図４
【補正方法】変更
【補正の内容】
【図４】
0003158813.tif 000081
【手続補正７】
【補正対象書類名】図面
【補正対象項目名】図７８
【補正方法】変更
【補正の内容】
【図７８】
0003158813.tif 000082